(57)【要約】  【課題】  消費電力を抑えることができるディスク装置を提供する。  【解決手段】  ZCAV(Zone Constant Angular Velocity)方式での設定回転数でミニディスク１を再生して所定時間経過後、ZCAV方式での設定回転数よりも低速な回転数でミニディスク１を回転させ再生する。このときの低速回転数は、ミニディスク１をZCAV方式での設定回転数よりも低速な回転数で回転させ、そのときにミニディスク１から読み取られたデータの誤り検出結果に基づいて設定される。【選択図】      図１
2007048368.tif 000002
【特許請求の範囲】
【請求項１】
ディスクをZCAV（Zone Constant Angular Velocity）方式により再生する再生手段を備えたディスク装置において、前記再生手段は前記ZCAV方式による再生回転数よりも低い回転数で前記ディスクを回転させて再生することを特徴とするディスク装置。
【請求項２】
前記再生手段は、前記ZCAV方式による再生回転数で前記ディスクを回転させて再生し、該再生開始から所定時間経過後または所定の情報量再生後に、前記ZCAV方式による再生回転数よりも低い回転数で前記ディスクを回転させて再生することを特徴とする請求項１に記載のディスク装置。
【請求項３】
再生異常が発生しない許容限界回転数を決定し、前記再生手段が前記ZCAV方式による再生回転数よりも低い回転数で前記ディスクを回転させる回転数である低速回転数を前記許容限界回転数に基づき設定する設定手段を備えることを特徴とする請求項１または請求項２に記載のディスク装置。
【請求項４】
前記設定手段は、前記低速回転数を前記許容限界回転数よりも高い値に設定することを特徴とする請求項３に記載のディスク装置。
【請求項５】
前記ディスクから読み取られた情報の誤り検出をする誤り検出手段を備え、前記設定手段は前記ZCAV方式による再生回転数よりも低い回転数で前記ディスクを回転させ、そのときに前記ディスクから読み取った情報の前記誤り検出結果に基づき前記許容限界回転数を決定することを特徴とする請求項３または請求項４に記載のディスク装置。
【請求項６】
前記再生手段が前記ディスクから読み取った情報を格納する記憶手段を備え、前記再生手段が前記記憶手段に格納された前記情報を読み出して再生する間に、前記設定手段は前記許容限界回転数を決定することを特徴とする請求項５に記載のディスク装置。
【請求項７】
前記設定手段は、所定時間経過後毎に、または前記ZCAV方式で設定されるゾーン毎に前記低速回転数を設定することを特徴とする請求項３〜請求項６のいずれかに記載のディスク装置。
【請求項８】
前記ディスクから読み出された情報の誤り検出をする誤り検出手段を備え、前記再生手段が前記ZCAV方式による再生回転数よりも低い回転数で前記ディスクを回転させて前記ディスクから読み取った情報の前記誤り検出結果が悪化した場合、前記設定手段は前記低速回転数を設定することを特徴とする請求項３〜請求項７のいずれかに記載のディスク装置。
【請求項９】
前記ディスクから読み出された情報の誤り検出をする誤り検出手段を備え、前記再生手段が前記ZCAV方式による再生回転数よりも低い回転数で前記ディスクを回転させて前記ディスクから読み取った情報の前記誤り検出結果が悪化した場合、前記再生手段は前記ディスクの回転数を前記ZCAV方式による再生回転数まで上昇させて再生することを特徴とする請求項１〜請求項８のいずれかに記載のディスク装置。
【発明の詳細な説明】
【技術分野】
【０００１】
本発明は、ディスク装置の再生動作に関わる。
【背景技術】
【０００２】
従来からCDやMD（ミニディスク）等のディスクを再生する再生装置は、ディスクに記録された信号を読み取る場合、ディスク内外周の回転数をピックアップの位置により変化させる方法をとり、その方法としては、CLV（Constant Linear Velocity）やZCAV（Zone Constant Angular Velocity）がある。
【０００３】
これらのうちZCAVは、ディスクの信号記録領域を同心円状に複数に分割した各領域をゾーンとし、ゾーン毎に一定の回転数でディスクを回転させる方法である。例えばMDの読み取りでは、ディスクの回転数が１倍速である場合約４００〜９００ｒｐｍであり、２倍速では１倍速の２倍の回転数となる。
【０００４】
このようなZCAVを用いたディスク装置として例えば特許文献１には、ZCAVを用いたディスク装置において、ディスク偏心をはじめとするスピンドルモータの回転周波数に同期した外乱への追従特性を向上させるために、ディスク回転同期外乱除去フィルタを設け、外乱抑圧率を充分に確保するものが開示されている。
【０００５】
しかし、上記特許文献１のようなディスク装置は、常にゾーン毎に設定された回転数でディスクすなわちスピンドルモータが回転するため、消費電力が大きいという問題があった。ディスク回転数が２倍速以上の場合はさらに消費電力が大きい。これは、電源として充電池や乾電池が使用され、電池交換を行わないで連続使用できる時間の長時間化が望まれる携帯用のディスク装置では特に問題となる。
【特許文献１】特開２０００−１１５６２号公報
【発明の開示】
【発明が解決しようとする課題】
【０００６】
本発明は上記問題点を鑑みてなされたものであり、消費電力を抑えることができるディスク装置を提供することを目的とする。
【課題を解決するための手段】
【０００７】
上記目的を達成するために本発明のディスク装置は、ディスクをZCAV（Zone Constant Angular Velocity）方式により再生する再生手段を備えたディスク装置において、前記再生手段は前記ZCAV方式による再生回転数よりも低い回転数で前記ディスクを回転させて再生することを特徴とする。
【０００８】
このような構成によれば、ディスク装置の消費電力を抑えることができ、特に携帯用のディスク装置においては、電池交換無しでの連続使用時間の長時間化を図ることができ、使用者にとって扱いやすいものとなる。
【０００９】
また、本発明のディスク装置は、前記再生手段は、前記ZCAV方式による再生回転数で前記ディスクを回転させて再生し、該再生開始から所定時間経過後または所定の情報量再生後に、前記ZCAV方式による再生回転数よりも低い回転数で前記ディスクを回転させて再生することを特徴とする。
【００１０】
このような構成によれば、ディスクを低速回転させる前にまずZCAVで設定された回転数でディスクが再生され、データの読み取りを確実なものにできる。
【００１１】
また、本発明のディスク装置は、再生異常が発生しない許容限界回転数を決定し、前記再生手段が前記ZCAV方式による再生回転数よりも低い回転数で前記ディスクを回転させる回転数である低速回転数を前記許容限界回転数に基づき設定する設定手段を備えることを特徴とする。
【００１２】
ZCAVで設定された回転数より低い回転数でディスクを回転させるときに回転数が低くなり過ぎると、再生不良の危険性が生じるが、本構成によりその危険を防ぐことができる。
【００１３】
また、本発明のディスク装置は、前記設定手段は、前記低速回転数を前記許容限界回転数よりも高い値に設定することを特徴とする。
【００１４】
このような構成によれば、許容限界回転数から余裕を取って低速回転数を設定できるので、ディスクの低速回転による再生不良をより確実に防ぐことができる。
【００１５】
また、本発明のディスク装置は、前記ディスクから読み取られた情報の誤り検出をする誤り検出手段を備え、前記設定手段は前記ZCAV方式による再生回転数よりも低い回転数で前記ディスクを回転させ、そのときに前記ディスクから読み取った情報の前記誤り検出結果に基づき前記許容限界回転数を決定することを特徴とする。
【００１６】
このような構成によれば、ディスクの低速回転によるデータの読み取り誤りによる再生不良を防ぐことができる。
【００１７】
また、本発明のディスク装置は、前記再生手段が前記ディスクから読み取った情報を格納する記憶手段を備え、前記再生手段が前記記憶手段に格納された前記情報を読み出して再生する間に、前記設定手段は前記許容限界回転数を決定することを特徴とする。
【００１８】
このような構成によれば、再生に影響することなく、ディスクを低速回転させて許容限界回転数を決定することができる。
【００１９】
また、本発明のディスク装置は、前記設定手段は、所定時間経過後毎に、または前記ZCAV方式で設定されるゾーン毎に前記低速回転数を設定することを特徴とする。
【００２０】
このような構成によれば、ディスクの再生が進んだ場合でもディスクの再生位置毎に適切な低速回転数を設定することができる。
【００２１】
また、本発明のディスク装置は、前記ディスクから読み出された情報の誤り検出をする誤り検出手段を備え、前記再生手段が前記ZCAV方式による再生回転数よりも低い回転数で前記ディスクを回転させて前記ディスクから読み取った情報の前記誤り検出結果が悪化した場合、前記設定手段は前記低速回転数を設定することを特徴とする。
【００２２】
このような構成によれば、ディスクの低速回転によりディスクからの読み取り誤りが増加した場合でも、即座に適切な低速回転数を設定し直すことで、再生不良を抑えることができる。
【００２３】
また、本発明のディスク装置は、前記ディスクから読み出された情報の誤り検出をする誤り検出手段を備え、前記再生手段が前記ZCAV方式による再生回転数よりも低い回転数で前記ディスクを回転させて前記ディスクから読み取った情報の前記誤り検出結果が悪化した場合、前記再生手段は前記ディスクの回転数を前記ZCAV方式による再生回転数まで上昇させて再生することを特徴とする。
【００２４】
このような構成によれば、ディスクの低速回転によりディスクからの読み取り誤りが増加した場合でも、即座にZCAVの設定回転数での再生に戻るので、再生不良を抑えることができる。
【発明の効果】
【００２５】
本発明のディスク装置によれば、消費電力を抑えることができる。
【発明を実施するための最良の形態】
【００２６】
以下では本発明の実施形態を、携帯用のMD（ミニディスク）再生装置を例に挙げて、図面を用いて説明する。図１は、本発明に係るMD再生装置の概略構成を示すブロック図である。
【００２７】
ミニディスク１(以下、ディスク１と呼ぶ)は同心円状または、螺旋状のトラックを有しており、音声/音楽データ等の情報信号は時間軸圧縮が施され、前記トラックに沿ってデジタル記録されている。また、ディスク１には  音声/音楽データ等の主情報以外に、ディスクタイトル名、各トラックタイトル名、音声/音楽データが格納されている位置を示すアドレス情報等を含んだU-TOC情報も記録されている。
【００２８】
スピンドルモータ２は、ディスク１を回転させるモータであり、ZCAVで回転制御される。ピックアップ３は、図示しないレーザ光源、コリメータレンズ、ビームスプリッタ、対物レンズ、対物レンズアクチュエータ、光電気信号変換回路等を有し、ディスク１にレーザビームを照射し、その反射光を光電気信号変換回路にてRF信号に変換し、RFアンプ６に送出する。送りモータ４はピックアップ３をディスク１の半径方向にステップ駆動させ、所定のトラックに位置決めする。なお、スピンドルモータ２、ピックアップ３の対物レンズアクチュエータ（図示せず）、および送りモータ４の駆動制御は、全てドライバ回路５が行う。また、ドライバ回路５はスピンドルモータ２の回転数を検出し、デコーダLSI７のサーボ回路７ｂに回転数信号ＦＧを送出する。
【００２９】
RFアンプ６は、ピックアップ３から送出されたRF信号を増幅して、デコーダLSI７の信号処理回路７ａに出力すると共に、RF信号に基づいてフォーカスエラー信号、トータル信号、およびトラッキングエラー信号といったサーボ制御信号を生成して、デコーダLSI７のサーボ回路７ｂに送出する。
【００３０】
デコーダLSI７は信号処理回路７ａ、サーボ回路７ｂ、音声伸長回路７ｃ、ショックプルーフメモリコントローラ７ｄおよびD/Aコンバータ７ｅを有する。サーボ回路７ｂは、RFアンプ３から送出されるサーボ制御信号、ドライバ回路５から送出されるスピンドルモータ２の回転数信号ＦＧ、信号処理回路７ａから送出されるアドレス信号、およびシステムコントローラ１１から送出されるコントロール信号に基づいて、ドライバ回路５をコントロールすることで、フォーカシング、トラッキング、およびディスクスピン等各種のサーボ制御を行う。
【００３１】
また、デコーダLSI７の信号処理回路７ａは、RFアンプ６で増幅されたRF信号について、アドレス信号の抽出、主情報の復調、誤り訂正といった処理を施す。そして、処理の済んだ主情報を、デコーダLSI７のショックプルーフメモリコントローラ(以下、メモリコントローラと呼ぶ)７ｄに送出する。
【００３２】
メモリコントローラ７ｄは、ショックプルーフメモリ８に対する情報の書き込み、読み出しを制御する手段であり、信号処理回路７ａからの主情報を、一旦、ショックプルーフメモリ８に書き込む。この際の書き込みレートはディスク１の回転が１倍速の場合、1.4Mbit/秒で、ディスク１の回転が１．５倍速の場合、1.5×1.4Mbit/秒である。また、メモリコントローラ７ｄは、ショックプルーフメモリ８から0.3Mbit/秒の読み出しレートで主情報を読み出して、デコーダLSI７の音声伸長回路７ｃに送出する。
【００３３】
このように、ディスク１から読み出した主情報をショックプルーフメモリ８に書き込む速度と、ショックプルーフメモリ８から音声伸長回路７ｃに送出する速度との間には、ディスク１の回転が１．５倍速の場合、1.5×1.4−0.3 = 1.8Mbit/秒の差がある。 この処理速度の差によって、ショックプルーフメモリ８には時間軸圧縮を解く前の主情報が蓄積されることになる。
【００３４】
さらに、ショックプルーフメモリ８には、ディスク１から読み出されたU-TOC情報も格納され、このU-TOC情報によりピックアップ３のトラックへのアクセス等が行われる。
【００３５】
デコーダLSI７の音声伸長回路７ｃはショックプルーフメモリ８から入力された主情報を所定のフォーマットに従って時間軸伸長することで圧縮を解き、デコーダLSI７のD/Aコンバータ７ｅに送る。
【００３６】
D/Aコンバータ７ｅは、圧縮を解かれた主情報をアナログ変換することで、音声/音楽データを生成する。そして、音声/音楽データはアンプ回路９で音量等が調節され、ヘッドホン１０を通じて使用者に音声/音楽データの再生出力を行う。
【００３７】
また、システムコントローラ１１は、電源電圧検出回路１３が検出した電源１４の電圧値を常時チェックしており、電源１４の電圧値が、ディスク１の再生動作に適しているか否かの確認を行ってから、電源回路１２に電力の供給を行っている。電源回路１２はDC-DC変換回路等で構成されており、MD再生装置の各部に必要な電圧を供給している。
【００３８】
操作部１５は、使用者が再生動作を操作する手段であり、ボタンやジョグダイヤル等を有する。
【００３９】
以下では、上記構成の本発明に係るMD再生装置の再生動作について、図２に示すフローチャートを用いて説明する。
【００４０】
MD再生装置の操作部１５において再生開始操作がされると、ショックプルーフメモリ８に格納されたU-TOC情報に基づきピックアップ３がディスク１の目標トラックへ位置決めされ、ディスク１の読み取りが開始する。このとき、システムコントローラ１１は図示しない記憶部に記憶された変数timeをリセットし、以降図示しないタイマ部によって変数timeは経過時間を更新される。変数timeについては後述する。
【００４１】
以降、操作部１５において再生停止操作がされるまで、ディスク１から読み取られショックプルーフメモリ８に格納された音楽データ等の主情報を、メモリコントローラ７ｄがショックプルーフメモリ８から順次読み出すことにより、再生がされる。
【００４２】
上記再生開始から再生が進み、ショックプルーフメモリ８のメモリ格納量が蓄積し所定値以上となるとスピンドルモータ２は回転を停止し、ディスク１からのデータ読み取りが中断される。
【００４３】
スピンドルモータ２の回転が停止し、ディスク１からの読み取りが行われずにショックプルーフメモリ８に格納された主情報が読み出されて再生している状態で、ステップＳ１０において、システムコントローラ１１はショックプルーフメモリ８に蓄積された主情報のメモリ格納量が所定量Rmin以下であるかを確認する。メモリ格納量がRminより大きい場合（ステップＳ１０のＮ）、引き続きショックプルーフメモリ８に蓄積された主情報のメモリ格納量を確認する。
【００４４】
再生が進み、ショックプルーフメモリ８に蓄積された主情報のメモリ格納量が減少してRmin以下となった場合（ステップＳ１０のＹ）、再生音を途切れさせないため、ディスク１からデータを読み取り、新たにショックプルーフメモリ８に主情報を格納する必要があるのでステップＳ２０に進む。ステップＳ２０では、システムコントローラ１１がサーボ回路７ｂにスピンドルモータ２を起動するよう指示し、ディスク１を回転させ、データの読み取りができるようにして行く。
【００４５】
ステップＳ３０で、サーボ回路７ｂはドライバ回路５から送出される回転数信号ＦＧに基づきスピンドルモータ２の回転数がサーボを引き込む回転数に達したかを判断し、達していない場合は所定の回転数に達するまでそのまま待機し、達した場合にステップＳ４０に進む。
【００４６】
ステップＳ４０で、システムコントローラ１１はピックアップ３のレーザ光源（不図示）を動作させ、レーザが所定の光度で点灯する。
【００４７】
そしてステップＳ５０で、システムコントローラ１１はサーボ回路７ｂにトラッキング、フォーカシング、ディスクスピンの全サーボを起動するよう指示する。スピンサーボについては、スピンドルモータ２がZCAVの設定回転数で一定となるようサーボされる。この時点でシステムコントローラ１１は図示しないタイマ部を用いて経過時間をカウント開始する。
【００４８】
この状態においてステップＳ６０で、ピックアップ３がディスク１から読み取った主情報はショックプルーフメモリ８に格納され、メモリ格納量は増加してゆく。
【００４９】
ステップＳ７０で、システムコントローラ１１はショックプルーフメモリ８に格納されたメモリ格納量が所定量のRmax以上かを判断する。ショックプルーフメモリ８に格納されたメモリ格納量がRmax以上であれば（ステップＳ７０のＹ）、後述するステップＳ１３０に進み、そうでなければ（ステップＳ７０のＮ）、ステップＳ８０に進む。
【００５０】
ステップＳ８０で、システムコントローラ１１は、ステップＳ５０で図示しないタイマ部を用いてカウント開始した経過時間が所定の時間t1以上かを判断し、t1以上でない場合（ステップＳ８０のＮ）はステップＳ６０に戻り、t1以上である場合はステップＳ９０に進む。
【００５１】
なお、上記ステップＳ８０では、システムコントローラ１１は全サーボ起動時から所定の時間t1以上経過したかを判断したが、ステップＳ５０の全サーボ起動時からデータの再生量をカウント開始し、この再生量が所定量以上となったかをステップＳ８０で判断し、所定量以上の場合ステップＳ９０に進み、そうでない場合はステップＳ６０に戻るようにしてもよい。
【００５２】
ステップＳ９０で、システムコントローラ１１はサーボ回路７ｂに不図示の記憶部に記憶された低速回転数設定値（初期値は所定値）でスピンドルモータ２をスピンサーボするよう指示し、スピンドルモータ２はZCAVの設定回転数よりも低速で回転する。
【００５３】
ステップＳ１００で、ピックアップ３は低速で回転するディスク１から主情報を読み取り、読み取った主情報はショックプルーフメモリ８に格納され、メモリ格納量は増加してゆく。
【００５４】
ステップＳ１１０で、システムコントローラ１１はショックプルーフメモリ８に格納されたメモリ格納量が所定量のRmax以上かを判断する。ショックプルーフメモリ８に格納されたメモリ格納量がRmax以上であれば（ステップＳ１１０のＹ）、後述するステップＳ１３０に進み、そうでなければ（ステップＳ１１０のＮ）、ステップＳ１２０に進む。
【００５５】
ここで、信号処理回路７ａはピックアップ３が読み取った主情報を復調し、CIRC（Cross  Interleaved Read Solomon Code）と呼ばれる誤り訂正符号を用いた誤り検出および誤り訂正を行っている。そこでステップＳ１２０で、システムコントローラ１１は、CIRCを用いた誤り検出で検出されたC1エラーの回数の読み取りデータ数に対する割合であるC1エラー値が、所定値e1以上であるかを判断する。もし、C1エラー値が、所定値e1以上でなければ（ステップＳ１２０のＮ）、ステップＳ１００に戻りデータ読み取りを継続し、所定値e1以上であれば（ステップＳ１２０のＹ）、※１からステップＳ１２１に進む。
【００５６】
ステップＳ１２１で、システムコントローラ１１はサーボ回路７ｂにZCAVの設定回転数でスピンドルモータ２をスピンサーボするよう指示し、スピンドルモータ２は低速回転からZCAVの設定回転数へ回転数が上昇する。この時点でシステムコントローラ１１は図示しないタイマ部を用いて経過時間をカウント開始する。
【００５７】
ステップＳ１２２で、ピックアップ３はZCAVの設定回転数で回転するディスク１から主情報を読み取り、読み取られた主情報はショックプルーフメモリ８に格納され、メモリ格納量は増加してゆく。
【００５８】
ステップＳ１２３で、システムコントローラ１１はショックプルーフメモリ８に格納されたメモリ格納量が所定量のRmax以上かを判断する。ショックプルーフメモリ８に格納されたメモリ格納量がRmax以上であれば（ステップＳ１２３のＹ）、※２から後述するステップＳ１３０に進み、そうでなければ（ステップＳ１２３のＮ）、ステップＳ１２４に進む。
【００５９】
ステップＳ１２４で、ステップＳ１２１で図示しないタイマ部を用いてカウント開始した経過時間が所定の時間t2以上かを判断し、t2以上でない場合（ステップＳ１２４のＮ）はステップＳ１２２に戻り、t2以上である場合はステップＳ１２５の低速回転数設定のサブルーチンに進む。
【００６０】
ここで、上記低速回転数設定のサブルーチンについて図３のフローチャートを用いて説明する。
【００６１】
ステップＳ１で、システムコントローラ１１は図示しない記憶部に記憶された変数Nを１とする。
【００６２】
ステップＳ２で、システムコントローラ１１はサーボ回路７ｂにスピンドルモータ２をZCAV設定回転数の1/Nの回転数でスピンサーボさせるよう指示し、スピンドルモータ２はZCAV設定回転数の1/Nの回転数で回転する。
【００６３】
ステップＳ３で、ZCAV設定回転数の1/Nの回転数で回転するディスク１からピックアップ３が読み取ったデータについて信号処理回路７ａが誤り検出を行い、システムコントローラ１１はC1エラー値が所定値のe1以上であるかを判断する。もし、C1エラー値が所定値のe1以上でなければ（ステップＳ３のＮ）ステップＳ４に進み、所定値のe1以上であれば（ステップＳ３のＹ）ステップＳ５に進む。ここで、ピックアップ３が読み取ったデータはショックプルーフメモリ８には格納されないので、メモリコントローラ７ｄによるショックプルーフメモリ８からのデータ読み出しのみで再生が行われ、ショックプルーフメモリ８のメモリ格納量は減少してゆく。
【００６４】
ステップＳ４では、システムコントローラ１１は図示しない記憶部に記憶された変数Nに１を加算し、ステップＳ２に戻る。
【００６５】
ステップＳ５では、システムコントローラ１１は、ZCAV設定回転数の1/(N-1)の回転数を再生異常が発生しない許容限界回転数とする。そして、この許容限界回転数を低速回転数設定値として、図示しない記憶部に記憶された低速回転数設定値を更新する。ただし、N＝１の場合は低速回転数設定値はZCAVの設定回転数とする。なお、このとき低速回転数設定値としては許容限界回転数から余裕を取ってZCAV設定回転数の1/(N-2)の回転数としてもよい。
【００６６】
ステップＳ５の次はメインルーチン（図２）に戻る。
【００６７】
図４は、本サブルーチンの動作を時系列的に示したものである。本サブルーチンでは、ZCAVの設定回転数から回転数を徐々に下げてゆき、その都度C1エラー値を測定し、C1エラー値が所定の使用限界値e1以上となったときの回転数に下げる１つ手前の回転数を許容限界回転数とし、この許容限界回転数自体を、または許容限界回転数から余裕を取った回転数を低速回転での回転数として設定する。回転数を徐々に下げる方法として図３ではZCAVの設定回転数の1/Nとする方法を用いたが、これに限らず例えば、５０ｒｐｍずつ回転数を下げてゆき、C1エラー値が所定の使用限界値e1以上となった回転数＋５０ｒｐｍを許容限界回転数とする方法でもよい。
【００６８】
ここで、図２のフローの説明に戻る。ステップＳ１２５で上記サブルーチンにより低速回転でのスピン回転数が設定されると、※３からステップＳ９０に進み、システムコントローラ１１が記憶部（不図示）に記憶された低速回転数設定値の回転数でスピンドルモータ２をスピンサーボするようサーボ回路７ｂに指示し、スピンドルモータ２が低速回転数設定値で回転する。以降は前述した通りである。
【００６９】
ステップＳ７０、Ｓ１１０およびＳ１２３においてショックプルーフメモリ８のメモリ格納量が所定値のRmax以上となった場合、ステップＳ１３０に進む。ステップＳ１３０では、システムコントローラ１１は、再生開始時にリセットされタイマ部（不図示）によって経過時間を更新されている変数timeが所定値t3以上であるか、つまり再生開始時からの経過時間が所定値t3以上かを判断する。もし、再生開始時からの経過時間が所定値t3以上でなければ（ステップＳ１３０のＮ）、ステップＳ１６０に進み、再生開始時からの経過時間が所定値t3以上であれば（ステップＳ１３０のＹ）、ステップＳ１４０に進む。
【００７０】
ステップＳ１４０では、前述した低速回転設定のサブルーチンが起動し、スピンドルモータ２の低速回転における回転数が設定される。
【００７１】
そしてステップＳ１５０で、システムコントローラ１１は変数timeをリセットする。以降変数timeは再びタイマ部（不図示）によって経過時間を更新される。つまりこれ以降、所定の時間t3の経過後毎にスピンドルモータ２の低速回転における回転数が設定されることになる。
【００７２】
なお、ステップＳ１３０〜Ｓ１５０については次のようにしてもよい。まず、システムコントローラ１１は再生開始時に、アクセスするディスク１上の位置がZCAVで設定されるゾーンのうちどのゾーンに属するかを判断し、再生が進んだ場合にアクセスされる次のゾーンを表す情報を図示しない記憶部に記憶する。そして、ステップＳ１３０で、システムコントローラ１１は現在のアクセス位置が上記記憶部に記憶されたゾーンに属するかを判断する。現在のアクセス位置が上記記憶部に記憶されたゾーンに属する場合、ステップＳ１４０に進み低速回転設定を行い、そうでない場合、ステップＳ１６０に進む。ステップＳ１４０で低速回転設定が行われた場合、ステップＳ１５０で、システムコントローラ１１は、再生が進んだ場合にアクセスされる上記記憶部に記憶されたゾーンの次のゾーンを表す情報に、現在のゾーン情報を書き換える。従って、以降再生が進みアクセスされるゾーンが変わる毎に低速回転数設定がされることになる。
【００７３】
ステップＳ１６０では、システムコントローラ１１はピックアップ３によるレーザ照射を停止させ、サーボ回路７ｂにフォーカシング、トラッキングおよびスピンの全サーボを切るよう指示し、スピンドルモータ２は回転を停止する。そして、再びステップＳ１０に戻り、以降操作部１５において再生停止操作がされるまで以上の動作が繰り返される。
【００７４】
図５は、以上説明した本発明に係るMD再生装置の動作例を示すタイミングチャートである。
【００７５】
タイミングtaにて、ショックプルーフメモリ８に格納されている音楽データ等のメモリ格納量が所定値Rmin以下であることが確認されると、スピンドルモータ２が起動する。スピンドルモータ２の回転数がZCAVの設定回転数FS付近に達したタイミングtbにて、レーザが点灯し、全サーボ回路が動作し、ディスク１からのデータの読み取りが開始され、ショックプルーフメモリ８のメモリ格納量が増加してゆく。
【００７６】
その後、所定時間t1経過後のタイミングtcにおいて、スピンドルモータ２の回転数が低速回転数設定値FLまで下がり、ディスク１からのデータ読み取りが継続される。その間もショックプルーフメモリ８のメモリ格納量は増加してゆく。
【００７７】
そして、タイミングtdにおいてショックプルーフメモリ８のメモリ格納量が所定値Rmaxに達するとレーザが消灯し、全サーボが切られ、ショックプルーフメモリ８に格納されている音楽データ等の読み出し動作のみが行われ、ショックプルーフメモリ８のメモリ格納量が減少してゆく。
【００７８】
なお、以上の実施形態ではMD再生装置を例として説明したが、本発明はこれに限らず他のCDやDVD等のディスク装置に適用可能であることは勿論である。
【図面の簡単な説明】
【００７９】
【図１】は、本発明に係るMD再生装置の概略構成を示すブロック図である。
【図２】は、本発明に係るMD再生装置の再生動作を示すフローチャートである。
【図３】は、低速回転数設定サブルーチンのフローチャートである。
【図４】は、低速回転数設定の動作を時系列的に示した図である。
【図５】は、本発明に係るMD再生装置の再生動作の一例を示すタイミングチャートである。
【符号の説明】
【００８０】
１    ミニディスク
２    スピンドルモータ
３    ピックアップ
４    送りモータ
５    ドライバ回路
６    RFアンプ
７    デコーダLSI
８    ショックプルーフメモリ
９    アンプ回路
１０    ヘッドホン
１１    システムコントローラ
１２    電源回路
１３    電源電圧検出回路
１４    電源
１５    操作部
【図１】
2007048368.tif 000003
【図２】
2007048368.tif 000004
【図３】
2007048368.tif 000005
【図４】
2007048368.tif 000006
【図５】
2007048368.tif 000007